(57)【要約】  ホルダ１１であって、複数の挿入部材３３と、連結部３１ａ、３２ａが第一設定距離で離れるように形成されている複数のアーム部材３１、３２とを備え、挿入部材３３には、貫通孔３３ｄの中心軸から第二設定距離で離れる円環形状となる円環部３３ｂが形成されており、挿入部材３３の円環部３３ｂの全部分の内から任意の位置とアーム部材３１、３２の連結部３１ａ、３２ａとが連結されると、挿入部材３３の円環部３３ｂの所望の位置とアーム部材３１、３２の連結部３１ａ、３２ａとが連結された状態となるように、頭部表面の当接面内でアーム部材３１、３２が移動可能となるとともに、挿入部材３３の円環部３３ｂの所望の位置とアーム部材３１、３２の連結部３１ａ、３２ａとが連結された状態を維持したまま、頭部表面の法線方向で連結部３１ａ、３２ａが円環部３３ｂに対して回動することにより、頭部表面の法線方向でアーム部材３１、３２が回動可能となることを特徴とする。
2011083563.tif 000002
【特許請求の範囲】
【請求項１】
先端から光を照射する複数の送光プローブと、先端から光を受光する複数の受光プローブとを保持して、被検者の頭部表面に装着されるホルダであって、
送光プローブ又は受光プローブが挿入される１個の貫通孔を中央部に有する複数の挿入部材と、
前記挿入部材と連結されるための連結部を両端に有し、当該連結部が第一設定距離で離れるように形成されている複数のアーム部材とを備え、
前記挿入部材には、前記貫通孔の中心軸から第二設定距離で離れる円環形状となる円環部が形成されており、
前記挿入部材の円環部の全部分の内から選択された任意の位置と、前記アーム部材の連結部とが連結されると、前記挿入部材の円環部とアーム部材の連結部とが連結された状態を維持したまま、前記挿入部材の円環部の所望の位置とアーム部材の連結部とが連結された状態となるように、前記頭部表面の当接面内でアーム部材が、前記貫通孔の中心軸を軸として移動可能となるとともに、
前記挿入部材の円環部の所望の位置とアーム部材の連結部とが連結された状態を維持したまま、前記頭部表面の法線方向でアーム部材の連結部が円環部に対して回動することにより、前記頭部表面の法線方向でアーム部材が、前記円環部を軸として回動可能となることを特徴とするホルダ。
【請求項２】
前記円環部は、円柱体又は多角形柱体が円環形状となったリング体であり、
前記アーム部材の連結部は、前記リング体の一部分が内側に挿入されるための半円筒体又は半多角形筒体を有するフック体であることを特徴とする請求項１に記載のホルダ。
【請求項３】
前記アーム部材の連結部は、球体、円柱体又は多角形柱体であり、
前記円環部は、前記アーム部材の連結部が挿入されるための半円筒状又は半多角形筒状の溝を有することを特徴とする請求項１に記載のホルダ。
【請求項４】
前記アーム部材の中央部には、送光プローブ又は受光プローブが挿入される１個の貫通孔が形成されていることを特徴とする請求項１に記載のホルダ。
【請求項５】
前記アーム部材の中央部には、ＥＥＧ電極が挿入される１個の貫通孔が形成されていることを特徴とする請求項１に記載のホルダ。
【請求項６】
請求項１に記載のホルダと、
先端から光を照射する複数の送光プローブと、
先端から光を受光する複数の受光プローブと、
前記送光プローブ及び受光プローブに対して光の送受光を制御する制御部とを備えることを特徴とする光生体測定装置。
【発明の詳細な説明】
【技術分野】
【０００１】
本発明は、光を用いて非侵襲で脳活動を測定するためのホルダ及びこれを用いる光生体測定装置に関する。
【背景技術】
【０００２】
近年、脳の活動状況を観察するために、光を用いて簡便に非侵襲で測定する光脳機能イメージング装置（光生体測定装置）が開発されている。このような光脳機能イメージング装置では、被検者の頭部表面上に配置した送光プローブにより、異なる３種類の波長λ１、λ２、λ３（例えば、７８０ｎｍと８０５ｎｍと８３０ｎｍ）の近赤外光を脳に照射するとともに、頭部表面上に配置した受光プローブにより、脳から放出された各波長の近赤外光の強度（受光量情報）Ａ（λ１）、Ａ（λ２）、Ａ（λ３）をそれぞれ検出する。
そして、このようにして得られた受光量情報Ａ（λ１）、Ａ（λ２）、Ａ（λ３）から、脳血流中のオキシヘモグロビンの濃度・光路長積[oxyHb]と、デオキシヘモグロビンの濃度・光路長積[deoxyHb]とを求めるために、例えば、Modified Beer Lambert則を用いて関係式（１）（２）（３）に示す連立方程式を作成して、この連立方程式を解いている（例えば、非特許文献１参照）。さらには、オキシヘモグロビンの濃度・光路長積[oxyHb]と、デオキシヘモグロビンの濃度・光路長積[deoxyHb]とから総ヘモグロビンの濃度・光路長積（[oxyHb]＋[deoxyHb]）を算出している。
Ａ（λ１）＝ＥＯ（λ１）×[oxyHb]＋Ｅｄ（λ１）×[deoxyHb]  …（１）
Ａ（λ２）＝ＥＯ（λ２）×[oxyHb]＋Ｅｄ（λ２）×[deoxyHb]  …（２）
Ａ（λ３）＝ＥＯ（λ３）×[oxyHb]＋Ｅｄ（λ３）×[deoxyHb]  …（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。【０００３】
ここで、送光プローブと受光プローブとの間の距離（チャンネル）と、測定部位との関係について説明する。図９（ａ）は、一対の送光プローブ及び受光プローブと、測定部位との関係を示す断面図であり、図９（ｂ）は、図９（ａ）の平面図である。
送光プローブ１２が被検者の頭部表面の送光点Ｔに押し当てられるとともに、受光プローブ１３が被検者の頭部表面の受光点Ｒに押し当てられる。そして、送光プローブ１２から光を照射させるとともに、受光プローブ１３に頭部表面から放出される光を入射させる。このとき、光は、頭部表面の送光点Ｔから照射された光の内で、バナナ形状（測定領域）を通過した光が、頭部表面の受光点Ｒに到達する。これにより、測定領域の中でも、特に送光点Ｔと受光点Ｒとを被検者の頭部表面に沿って最短距離で結んだ線Ｌの中点Ｍから、送光点Ｔと受光点Ｒとを被検者の頭部表面に沿って最短距離で結んだ線の距離の半分の深さＬ／２である被検者の測定部位Ｓに関する受光量情報Ａ（λ１）、Ａ（λ２）、Ａ（λ３）が得られるとしている。【０００４】
また、光脳機能イメージング装置では、脳の複数箇所の測定部位に関するオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）をそれぞれ測定するために、例えば、近赤外分光分析計等が利用されている。
近赤外分光分析計においては、送光プローブと受光プローブとを所定の配列で被検者の頭部表面に接触させるために、ホルダが使用される。ホルダには貫通孔が複数個設けられ、送光プローブと受光プローブとがそれらの貫通孔に挿入されることによって、送光プローブと受光プローブとのプローブ間隔が一定となり、頭部表面から特定の深度となる受光量情報を得ている。なお、プローブ間隔は、チャンネルと呼ばれ、一般的に成人であればチャンネルを３０ｍｍとしたものが用いられ、チャンネルが３０ｍｍである場合には、チャンネルの中点からの深度１５ｍｍ〜２０ｍｍの受光量情報が得られると考えられている。すなわち、頭部表面から深度１５ｍｍ〜２０ｍｍの位置は脳表部位にほぼ対応し、脳活動に関係した受光量情報Ａ（λ１）、Ａ（λ２）、Ａ（λ３）を得ている。【０００５】
ここで、図１０は、複数の送光プローブ及び複数の受光プローブの配置を示す平面図である。１５個の送光プローブ（黒丸）１２と１５個の受光プローブ（白丸）１３とが行方向及び列方向に交互となるように正方格子状に配置されている。そして、送光プローブ１２から光を出射させるとともに、光を出射した送光プローブ１２に隣接した受光プローブ１３に頭部表面から放出される光を検出させることにより、受光量情報Ａ（λ１）、Ａ（λ２）、Ａ（λ３）を取得している。これにより、図１０に示すように平面視すると、測定部位（×印）Ｓは、送光プローブ１２と、送光プローブ１２からの光を受光する受光プローブ１３との中点となり、計４９個の受光量情報Ａ（λ１）、Ａ（λ２）、Ａ（λ３）の収集が行われる。【０００６】
ところで、頭部表面の曲率は、男女差、年齢差、個人差によって異なるので、頭部表面の曲率の差異があっても容易に装着可能にするものとして、送光プローブ１２及び受光プローブ１３が保持される保持部を頭部表面に正方格子状に配置するとともに、保持部を伸縮性を示さない設定距離（例えば、３０ｍｍ）の接続部で連結し、さらに、頭部表面の当接面内において保持部を回転軸として所定の角度内で接続部の回転可変性を有するホルダが提案されている（例えば、特許文献１参照）。
ホルダ１１１は、送光プローブ１２や受光プローブ１３を固定する３０個のソケット部品（保持部）１３３と、４９個の接続部品１３１と、３０個のナット部品１３２とを備える。
図１１は、送光プローブ１２とナット部品１３２と２個の接続部品１３１とソケット部品１３３とを示す分解斜視図である。図１２は、組み立てた後の送光プローブ１２とナット部品１３２と２個の接続部品１３１とソケット部品１３３とを示す図である。【０００７】
接続部品１３１は、一の字形状の板状体である。そして、接続部品１３１は、両端に円環形状の挿入部１３１ａと、両端の挿入部１３１ａをチャンネル長さＸで連結する接続部１３１ｂとを有する。各挿入部１３１ａの中央部には、ソケット部品１３３が挿入されるための円形状の貫通孔がそれぞれ開けられている。また、接続部１３１ｂは、幅１０ｍｍ、厚さ０．１ｍｍであり、かつ、貫通孔の中心と貫通孔の中心との間の距離がチャンネル長さ３０ｍｍとなるように形成されており、厚さ方向にだけ可撓性を有する。つまり、両端の挿入部１３１ａは、常にチャンネル長さ３０ｍｍで保持されるようになっている。このような接続部品１３１を構成する材質としては、特に限定されるものではないが、例えば、ポリプロピレン、ポリ塩化ビニル、ポリアセタール等が挙げられる。【０００８】
ソケット部品１３３は、円筒形状（例えば、直径１５ｍｍ）の本体部１３３ａと、円環形状の顎部１３３ｂと、円環形状の底部（密着機構）１３３ｃとを有し、その内側に送光プローブ１２や受光プローブ１３を挿入可能とするとともに、本体部１３３ａの外周面にナット部品１３２が螺合されるネジ（固定機構）が形成されている。
ナット部品１３２は、円形状の貫通孔を有する円環形状であり、その内周面にソケット部品１３３の本体部１３３ａに螺合されるメスネジが形成されている。なお、貫通孔の大きさは、上方から見ると、ソケット部品１３３の本体部１３３ａの大きさよりも大きく、ソケット部品１３３の顎部１３３ｂよりも小さくなっている。
これにより、ナット部品１３２の内側にソケット部品１３３の本体部１３３ａをネジ機構を用いて挿入することで、ソケット部品１３３の顎部１３３ｂとナット部品１３２との間に接続部品１３１の挿入部１３１ａを挟み込んで固定することができるようになっている。【０００９】
なお、送光プローブ１２は、ソケット部品１３３と固定することが可能となっている円柱形状（例えば、直径５ｍｍ）をしている。そして、送光プローブ１２の内部には、発光部（図示せず）と接続された光ファイバ等の導光路（例えば、直径１ｍｍ）がバネ等を介して固定されており、導光路の先端部から光が照射されるようになっている。
また、受光プローブ１３も、送光プローブ１２と同様な構造となっており、ソケット部品１３３と固定することが可能となっている円柱形状（例えば、直径５ｍｍ）をしている。そして、受光プローブ１３の内部には、光検出部（図示せず）と接続された光ファイバ等の導光路（例えば、直径１ｍｍ）がバネ等を介して固定されており、導光路の先端部から光を受光するようになっている。【００１０】
このような３０個のソケット部品１３３と４９個の接続部品１３１と３０個のナット部品１３２とを用いて、図１０に示すホルダ１１１を組み立てる。そして、このようなホルダ１１１を被検者の頭部表面に密着させるために、医者等の測定者は、ソケット部品１３３の顎部１３３ｂとナット部品１３２との間のネジ機構を少し緩めることで、図１２（ａ）に示すように、上方から見て一の接続部品１３１と他の接続部品１３１とで、ソケット部品１３３を回転軸として所望角度を形成するとともに、図１２（ｂ）に示すように、接続部品１３１の接続部１３１ｂは可撓性を有するので、頭部表面と一致するような曲率を有する面となるように変形する。このように変形が加えられた状態で、測定者は、ソケット部品１３３の顎部１３３ｂとナット部品１３２との間のネジ機構を、しっかり固定する。すると、ホルダ１１１は、もはや平面には戻れず、その曲率が保持される結果となる。最後に、測定者は、ソケット部品１３３の内側に、送光プローブ１２や受光プローブ１３を所定の配列で挿入する。
【先行技術文献】
【特許文献】
【００１１】
【特許文献１】特開２００９−０７７８４１号公報
【非特許文献】
【００１２】
【非特許文献１】Factors affecting the accuracy of near-infrared spectroscopy concentration calculations for focal changes in oxygenation parameters, NeuroImage 18, 865-879, 2003
【発明の概要】
【発明が解決しようとする課題】
【００１３】
ところで、上述したようなホルダ１１１を、被検者の頭部表面に密着させるには、測定者は、一の接続部品１３１と他の接続部品１３１とで、ソケット部品１３３を回転軸として所望角度を形成しながら、頭部表面と一致するような曲率を有する面となるように変形するようにした上で、ソケット部品１３３の顎部１３３ｂとナット部品１３２との間のネジ機構を、しっかり固定する必要がある。しかしながら、上述したようなホルダ１１１を被検者の頭部表面に密着させる場合には、３０箇所のソケット部品１３３の顎部１３３ｂとナット部品１３２との間のネジ機構を、しっかり固定することになり、また、ホルダを被検者の頭部表面の全面に密着させる場合には、使用する送光プローブ１２や受光プローブ１３の個数は多くなるので、例えば１００箇所のソケット部品１３３とナット部品１３２との間のネジ機構を、しっかり固定することになり、測定者にとっては非常に手間がかるし、被検者にとっては長い時間がかかるので非常にストレスがかかった。
【課題を解決するための手段】
【００１４】
本願発明者は、上記課題を解決するために、ソケット部品１３３とナット部品１３２との間のネジ機構を調整する必要がなく、様々な曲率を有する面に対して密着することができるホルダについて検討を行った。そこで、図１２（ａ）に示すように、上方から見て一の接続部品１３１と他の接続部品１３１とで、ソケット部品１３３を回転軸として所望角度を形成するものと同様な効果を奏するものとして、円環形状となるリング体（円環部）を有する挿入部材と、フック体（連結部）を有するアーム部材とを作製して、そのリング体の全部分の内から選択された任意の位置（任意角度）と、フック体とを連結すると、リング体とフック体とが連結された状態を維持したまま、リング体の所望の位置（所望角度）とフック体とが連結された状態となるように、フック体を有するアーム部材を移動可能とすることを見出した。
また、図１２（ｂ）に示すように、接続部品１３１の接続部１３１ｂは可撓性を有するので、同様な効果を奏するものとして、リング体とフック体とが連結された状態を維持したまま、断面において、フック体の断面がリング体の断面に対して回動することにより、リング体を軸として、フック体を有するアーム部材を回動可能とすることを見出した。【００１５】
すなわち、本発明のホルダは、先端から光を照射する複数の送光プローブと、先端から光を受光する複数の受光プローブとを保持して、被検者の頭部表面に装着されるホルダであって、送光プローブ又は受光プローブが挿入される１個の貫通孔を中央部に有する複数の挿入部材と、前記挿入部材と連結されるための連結部を両端に有し、当該連結部が第一設定距離で離れるように形成されている複数のアーム部材とを備え、前記挿入部材には、前記貫通孔の中心軸から第二設定距離で離れる円環形状となる円環部が形成されており、前記挿入部材の円環部の全部分の内から選択された任意の位置と、前記アーム部材の連結部とが連結されると、前記挿入部材の円環部とアーム部材の連結部とが連結された状態を維持したまま、前記挿入部材の円環部の所望の位置とアーム部材の連結部とが連結された状態となるように、前記頭部表面の当接面内でアーム部材が、前記貫通孔の中心軸を軸として移動可能となるとともに、前記挿入部材の円環部の所望の位置とアーム部材の連結部とが連結された状態を維持したまま、前記頭部表面の法線方向でアーム部材の連結部が円環部に対して回動することにより、前記頭部表面の法線方向でアーム部材が、前記円環部を軸として回動可能となるようにしている。【００１６】
ここで、「第一設定距離」及び「第二設定距離」とは、設計者等によって予め決められた任意の距離であり、例えば、第一設定距離と第二設定距離の２倍との合計距離が、３０ｍｍ等となる。
本発明のホルダによれば、円環部を有する所定の個数の挿入部材と、連結部を両端に有する所定の個数のアーム部材とを備える。そして、測定者等は、まず、所定の個数の挿入部材と、所定の個数のアーム部材とを用いて、挿入部材の円環部の任意の位置とアーム部材の連結部とを連結しながら、ホルダを作製する。【００１７】
次に、測定者等は、ホルダを被検者の頭部表面に密着させることになるが、挿入部材の円環部の所望の位置とアーム部材の連結部とが連結された状態となるように、頭部表面の当接面内でアーム部材が移動可能となるとともに、頭部表面の法線方向でアーム部材の連結部が円環部に対して回動することにより、頭部表面の法線方向でアーム部材が回動可能となっているので、ホルダを被検者の頭部表面に装着させていけば、ホルダは被検者の頭部表面と一致するような曲率を有する面となるように、自然に変形する。このとき、円環部は、貫通孔の中心軸から第二設定距離で離れる円環形状となっているので、挿入部材の円環部とアーム部材の連結部とが連結されていれば、一の挿入部材の貫通孔の中心軸と、他の挿入部材の貫通孔の中心軸との距離は、第一設定距離と第二設定距離の２倍との合計距離でほぼ保持されることになる。つまり、第一設定距離と第二設定距離の２倍との合計距離が、例えば、３０ｍｍであれば、脳活動に関係した受光量情報Ａ（λ１）、Ａ（λ２）、Ａ（λ３）を得ることができる。
【発明の効果】
【００１８】
以上のように、本発明のホルダによれば、ソケット部品とナット部品との間のネジ機構を調整する必要がなく、様々な曲率を有する面に対して密着することができる。【００１９】
（その他の課題を解決するための手段及び効果）
また、本発明のホルダは、前記円環部は、円柱体又は多角形柱体が円環形状となったリング体であり、前記アーム部材の連結部は、前記リング体の一部分が内側に挿入されるための半円筒体又は半多角形筒体を有するフック体であるようにしてもよい。
ここで、「半円筒体又は半多角形筒体」とは、断面において、一部が欠けた円筒体又は多角形筒体のことをいい、例えば、断面において、３６０°の円環形状の内の一部が欠けた２７０°の円環形状を有する半円筒体や、断面において、３６０°の正六角形筒体の内の一部が欠けた２００°の正六角形筒体等が挙げられる。
本発明のホルダによれば、円環部を、円柱体が円環形状となったリング体とし、連結部を、半円筒体を有するフック体とすることにより、フック体がリング体に対して、頭部表面の法線方向で滑らかに回動することができる。一方、円環部を、多角形柱体が円環形状となったリング体とし、連結部を、半多角形筒体を有するフック体とすることにより、フック体がリング体に対して、頭部表面の法線方向で段階的に回動することができる。【００２０】
また、本発明のホルダは、前記アーム部材の連結部は、球体、円柱体又は多角形柱体であり、前記円環部は、前記アーム部材の連結部が挿入されるための半円筒状又は半多角形筒状の溝を有するようにしてもよい。
ここで、「半円筒状又は半多角形筒状」とは、断面において、一部が欠けた円筒状又は多角形筒状のことをいい、例えば、断面において、３６０°の円環形状の内の一部が欠けた２７０°の円環形状を有する半円筒体や、断面において、３６０°の正六角形の内の一部が欠けた２００°の正六角形を有する正六角形筒体等が挙げられる。
本発明のホルダによれば、連結部を球体や円柱体とし、円環部を半円筒状の溝を有するものとすることにより、連結部が円環部体に対して、頭部表面の法線方向で滑らかに回動することができる。一方、連結部を、多角形柱体とし、円環部を、半多角形筒状の溝を有するものとすることにより、連結部が円環部体に対して、頭部表面の法線方向で段階的に回動することができる。【００２１】
また、本発明のホルダは、前記アーム部材の中央部には、送光プローブ又は受光プローブが挿入される１個の貫通孔が形成されているようにしてもよい。
また、本発明のホルダは、前記アーム部材の中央部には、ＥＥＧ電極が挿入される１個の貫通孔が形成されているようにしてもよい。
本発明のホルダによれば、光を用いて測定した測定部位における電気信号を測定することができる。【００２２】
そして、本発明の光生体測定装置は、上述したようなホルダと、先端から光を照射する複数の送光プローブと、先端から光を受光する複数の受光プローブと、前記送光プローブ及び受光プローブに対して光の送受光を制御する制御部とを備えるようにしている。
【図面の簡単な説明】
【００２３】
【図１】本発明の一実施形態である光生体測定装置の概略構成の一例を示すブロック図である。
【図２】球体に装着したホルダの一例を示す斜視図である。
【図３】挿入部材と第一アーム部材と第二アーム部材との一例を示す斜視図である。
【図４】組み立てた後の複数の挿入部材と複数の第一アーム部材と複数の第二アーム部材とを示す図である。
【図５】送光プローブの一例を示す斜視図である。
【図６】第三アーム部材の一例を示す斜視図である。
【図７】挿入部材と第四アーム部材と第五アーム部材との一例を示す斜視図である。
【図８】組み立てた後の複数の挿入部材と複数の第四アーム部材と複数の第五アーム部材とを示す図である。
【図９】一対の送光プローブ及び受光プローブと、測定部位との関係を示す図である。
【図１０】複数の送光プローブ及び複数の受光プローブの配置を示す平面図である。
【図１１】送光プローブとナット部品と２個の接続部品とソケット部品とを示す分解斜視図である。
【図１２】組み立てた後の送光プローブとナット部品と２個の接続部品とソケット部品とを示す図である。
【発明を実施するための形態】
【００２４】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２５】
＜第一の実施形態＞
図１は、本発明の一実施形態である光生体測定装置の概略構成の一例を示すブロック図である。また、図２は、直径２００ｍｍの球体に装着したホルダの一例を示す斜視図である。
光生体測定装置１は、被検者の頭部表面上に装着するためのホルダ１１と、送光プローブ１２と導光路（図示せず）により接続される発光部２と、受光プローブ１３と導光路（図示せず）により接続される光検出部３と、ＥＥＧ電極１４と接続される電気検出部４と、光生体測定装置１全体の制御を実行する制御部（コンピュータ）２０とにより構成される。
【００２６】
まず、ホルダ１１を構成する部品について説明する。図３は、挿入部材３３と第一アーム部材３１と第二アーム部材３２との一例を示す斜視図であり、図４は、組み立てた後の複数の挿入部材３３と複数の第一アーム部材３１と複数の第二アーム部材３２とを示す図である。なお、図５は、送光プローブ１２の一例を示す斜視図である。
ホルダ１１は、送光プローブ１２や受光プローブ１３を固定するための複数の挿入部材３３と、一の挿入部材３３と他の挿入部材３３とを連結するための複数の第一アーム部材３１と、一の挿入部材３３と他の挿入部材３３とを連結するための複数の第二アーム部材３２とを備える。
【００２７】
挿入部材３３は、図３（ａ）に示すように、円形状（例えば、直径８ｍｍ）の貫通孔３３ｄを中央部に有する本体部３３ａと、円環形状の円環部３３ｂと、本体部３３ａと円環部３３ｂとを接続する４個の接続部３３ｃとを有する。
貫通孔３３ｄの内側には、送光プローブ１２や受光プローブ１３が挿入可能となっている。これにより、貫通孔３３ｄの内側に送光プローブ１２を挿入すれば、挿入部材３３と送光プローブ１２とを固定することができるようになっている。
円環部３３ｂは、円柱体（例えば、直径１ｍｍ）が円環形状となったリング体である。そして、貫通孔３３ｄの中心軸から第二設定距離（例えば、６．５ｍｍ）で離れるように形成されている。
接続部３３ｃは、本体部３３ａの側面と円環部３３ｂの側面とを接続し、４個の接続部３３ｃは、平面視すると、１２時と３時と６時と９時との位置に形成されている。
なお、上記挿入部材を構成する材質としては、特に限定されるものではないが、例えば、ポリプロピレン、ポリ塩化ビニル、ポリアセタール等が挙げられる。
【００２８】
第一アーム部材３１は、図３（ｂ）に示すように、一の字形状の板状体であり、円形状（例えば、直径８ｍｍ）の貫通孔３１ｂを中央部に有し、連結部３１ａを両端に第一設定距離（例えば、１８．５ｍｍ）で離れるように有する。
貫通孔３１ｂの内側には、送光プローブ１２や受光プローブ１３が挿入可能となっている。これにより、貫通孔３１ｂの内側に送光プローブ１２を挿入すれば、第一アーム部材３１と送光プローブ１２とを固定することができるようになっている。
連結部３１ａは、断面が３６０°の円環形状（例えば、直径１ｍｍ）の内の一部が欠けた２７０°の円環形状であり、かつ、高さ３ｍｍの半円筒体を有するフック体である。そして、下側に欠けた部分が配置されるように半円筒体は形成されている。半円筒体の内側には、欠けた部分から円環部３３ｂの一部分が挿入可能となっている。これにより、半円筒体の内側に円環部３３ｂを挿入すれば、第一アーム部材３１と挿入部材３３とを連結することができるようになっている。また、連結部３１ａを両端に有するので、一の連結部３１ａと一の挿入部材３３とを連結し、もう一つの連結部３１ａと他の挿入部材３３とを連結すれば、一の挿入部材３３と他の挿入部材３３とを連結することができるようになっている。このとき、一の連結部３１ａと他の連結部３１ａとが第一設定距離（例えば、１８．５ｍｍ）で離れるように形成されているので、一の挿入部材３３の貫通孔３３ｄと他の挿入部材３３の貫通孔３３ｄとの間の距離は、第一設定距離と第二設定距離の２倍との合計距離（例えば、３１．５ｍｍ）となる。よって、一の挿入部材３３の貫通孔３３ｄに送光プローブ１２を挿入するとともに、他の挿入部材３３の貫通孔３３ｄに受光プローブ１３を挿入して、球面に配置すれば、第一設定距離と第二設定距離の２倍との合計距離（例えば、３１．５ｍｍ）が円弧状となるので、プローブ間隔（直線距離）は、例えば、３０．０ｍｍとなることになる。
【００２９】
さらに、円環部３３ｂの全ての位置の断面が、同一な円形状となっているので、円環部３３ｂの任意の位置（任意角度）と連結部３１ａとが連結されると、円環部３３ｂと連結部３１ａとが連結された状態を維持したまま、円環部３３ｂの他の位置（３６０°の内のどこかの角度）と連結部３１ａとが連結された状態となるように、第一アーム部材３１が移動可能となっている。つまり、円環部３３ｂの全部分の内から所望の位置（所望角度）と連結部３１ａとが連結された状態となるように、貫通孔３３ｄの中心軸が回転軸として、第一アーム部材３１が移動可能となっている。
【００３０】
また、円環部３３ｂの断面が、円形状となっているので、円環部３３ｂの任意の位置と連結部３１ａとが連結された状態を維持したまま、断面において、連結部３１ａが円環部３３ｂに対して回動することにより、円環部３３ｂが回転軸として、第一アーム部材３１が回動可能となっている。
【００３１】
したがって、貫通孔３３ｄの中心軸が回転軸となるとともに、円環部３３ｂが回転軸となるように、第一アーム部材３１が２軸で回動可能となっている。
このような第一アーム部材を構成する材質としては、特に限定されるものではないが、例えば、ポリプロピレン、ポリ塩化ビニル、ポリアセタール等が挙げられる。
【００３２】
第二アーム部材３２は、図３（ｃ）に示すように、一の字形状の板状体であり、円形状（例えば、直径５ｍｍ）の１個の大貫通孔３２ｂと円形状（例えば、直径１．２ｍｍ）の８個の小貫通孔３２ｃとを中央部に有し、連結部３２ａを両端に第一設定距離（例えば、１８．５ｍｍ）で離れるように有する。
大貫通孔３２ｂの内側には、ＥＥＧ電極１４が挿入可能となっている。これにより、大貫通孔３２ｂの内側にＥＥＧ電極１４を挿入すれば、第二アーム部材３２とＥＥＧ電極１４とを固定することができるようになっている。
連結部３２ａは、断面が３６０°の円環形状（例えば、直径１ｍｍ）の内の一部が欠けた２７０°の円環形状であり、かつ、高さ３ｍｍの半円筒体を有するフック体である。そして、下側に欠けた部分が配置されるように半円筒体は形成されている。半円筒体の内側には、欠けた部分から円環部３３ｂの一部分が挿入可能となっている。これにより、半円筒体の内側に円環部３３ｂを挿入すれば、第二アーム部材３２と挿入部材３３とを連結することができるようになっている。また、連結部３２ａを両端に有するので、一の連結部３２ａと一の挿入部材３３とを連結し、もう一つの連結部３２ａと他の挿入部材３３とを連結すれば、一の挿入部材３３と他の挿入部材３３とを連結することができるようになっている。このとき、一の連結部３２ａと他の連結部３２ａとが第一設定距離（例えば、１８．５ｍｍ）で離れるように形成されているので、一の挿入部材３３の貫通孔３３ｄと他の挿入部材３３の貫通孔３３ｄとの間の距離は、第一設定距離と第二設定距離の２倍との合計距離（例えば、３１．５ｍｍ）となる。よって、一の挿入部材３３の貫通孔３３ｄに送光プローブ１２を挿入するとともに、他の挿入部材３３の貫通孔３３ｄに受光プローブ１３を挿入し、第二アーム部材３２の貫通孔３２ｂにＥＥＧ電極１４を挿入すれば、ＥＥＧ電極１４の測定部位は、プローブ間隔の中点となることになる。
【００３３】
さらに、円環部３３ｂの全ての位置の断面が、同一な円形状となっているので、円環部３３ｂの任意の位置（任意角度）と連結部３２ａとが連結されると、円環部３３ｂと連結部３２ａとが連結された状態を維持したまま、円環部３３ｂの他の位置（３６０°の内のどこかの角度）と連結部３２ａとが連結された状態となるように、第二アーム部材３２が移動可能となっている。つまり、円環部３３ｂの全部分の内から所望の位置（所望角度）と連結部３２ａとが連結された状態となるように、貫通孔３３ｄの中心軸が回転軸として、第二アーム部材３２が移動可能となっている。
【００３４】
また、円環部３３ｂの断面が、円形状となっているので、円環部３３ｂの任意の位置と連結部３２ａとが連結された状態を維持したまま、断面において、連結部３２ａが円環部３３ｂに対して回転することにより、円環部３３ｂが回転軸として、第二アーム部材３２が回動可能となっている。
【００３５】
したがって、貫通孔３３ｄの中心軸が回転軸となるとともに、円環部３３ｂが回転軸となるように、第二アーム部材３２が２軸で回動可能となっている。
このような第二アーム部材を構成する材質としては、特に限定されるものではないが、例えば、ポリプロピレン、ポリ塩化ビニル、ポリアセタール等が挙げられる。
【００３６】
なお、送光プローブ１２は、図５に示すように、挿入部材３３と固定することが可能となっている円柱形状（例えば、直径５ｍｍ）をしている。そして、送光プローブ１２の内部には、発光部２と接続された光ファイバ等の導光路（例えば、直径１ｍｍ）がバネ等を介して固定されており、導光路の先端部から光が照射されるようになっている。
また、受光プローブ１３も、送光プローブ１２と同様な構造となっており、挿入部材３３と固定することが可能となっている円柱形状（例えば、直径５ｍｍ）をしている。そして、受光プローブ１３の内部には、光検出部３と接続された光ファイバ等の導光路（例えば、直径１ｍｍ）がバネ等を介して固定されており、導光路の先端部から光を受光するようになっている。
さらに、ＥＥＧ電極１４は、第二アーム部材３２の中央部（１個の大貫通孔３２ｂと８個の小貫通孔３２ｃ）と固定することが可能となっている円柱形状（例えば、ＥＥＧ電極１４の外径１１ｍｍ）をしている。そして、ＥＥＧ電極１４の下端部から電気信号を受けるようになっている。
【００３７】
このような複数の挿入部材３３と、複数の第一アーム部材３１と、複数の第二アーム部材３２とを用いて、図２に示すホルダ１１を組み立てる。このとき、１個の挿入部材３３の円環部３３ｂの任意の位置には、第一アーム部材３１と第二アーム部材３２とが交互となるように、合計４個のアーム部材３１、３２を連結する。そして、測定者は、このようなホルダ１１を被検者の頭部表面に被せると、ホルダ１１は、挿入部材３３の円環部３３ｂの所望の位置と第一アーム部材３１の連結部３１ａとが連結された状態となり、また、挿入部材３３の円環部３３ｂの所望の位置と第二アーム部材３２の連結部３２ａとが連結された状態となるように、頭部表面の当接面内で第一アーム部材３１や第二アーム部材３２が移動するとともに、頭部表面の法線方向で第一アーム部材３１の連結部３１ａが挿入部材３３の円環部３３ｂに対して回動するように、頭部表面の法線方向で第一アーム部材３１が回動し、また、頭部表面の法線方向で第二アーム部材３２の連結部３２ａが挿入部材３３の円環部３３ｂに対して回動するように、頭部表面の法線方向で第二アーム部材３２が回動する。つまり、ホルダ１１は、被検者の頭部表面と一致するような曲率を有する面となるように、自然に変形する。その後、測定者は、挿入部材３３の貫通孔３３ｄに、送光プローブ１２と受光プローブ１３とを所定の配列で挿入するとともに、第二アーム部材３２の大貫通孔３２ｂに、ＥＥＧ電極１４を挿入する。
【００３８】
次に、上述したホルダ１１以外の構成について説明する。
発光部２は、コンピュータ２０から入力された駆動信号により複数の送光プローブ１２の内から選択される１個の送光プローブ１２に光を送光する光源であり、例えば、ＬＥＤ（発光ダイオード）やＬＤ（レーザーダイオード）等の発光素子等である。
上記光としては、近赤外光（例えば、７８０ｎｍと８０５ｎｍと８３０ｎｍ）が用いられる。
【００３９】
光検出部３は、複数の受光プローブ１３で受光した近赤外光を個別に検出することにより、複数の受光信号をコンピュータ２０に出力する検出器であり、例えば、フォトダイオードやフォトトランジスタ等の受光素子、光電子増倍管等である。
電気検出部４は、複数のＥＥＧ電極１４で受けた電気信号を個別に検出することにより、複数の電気信号をコンピュータ２０に出力する検出器であり、例えば、脳波計等である。
【００４０】
コンピュータ２０においては、ＣＰＵ２１を備え、さらに、メモリ５０と、モニタ画面２３ａ等を有する表示装置２３と、入力装置であるキーボード２２ａやマウス２２ｂとが連結されている。ＣＰＵ２１が処理する機能をブロック化して説明すると、発光部２及び光検出部３を制御する送受光部制御部４０と、演算部４１と、ＥＥＧ電極１４を制御するＥＥＧ電極制御部４５と、脳活動画像表示制御部４４とを有する。
送受光部制御部４０は、発光部２に駆動信号を出力する発光制御部４２と、光検出部３からの受光信号を受けることにより受光信号（受光量情報）をメモリ５０に記憶させる光検出制御部４３とを有する。発光制御部４２は、送光プローブ１２に光を順次送光する駆動信号を発光部２に出力する制御を行う。光検出制御部４３は、光検出部３からの受光信号を受けることにより、複数の受光プローブ１３から検出された複数の測定データＡ（λ１）、Ａ（λ２）、Ａ（λ３）をメモリ５０に記憶させる制御を行う。
【００４１】
ＥＥＧ電極制御部４５は、電気検出器部４からの電気信号を受けることにより、複数のＥＥＧ電極１４から検出された複数の測定データＢをメモリ５０に記憶させる制御を行う。
演算部４１は、メモリ５０に記憶された測定データＡ（λ１）、Ａ（λ２）、Ａ（λ３）において、送光プローブ１２から、送光プローブ１２と隣接した受光プローブ１３への測定データＡ（λ１）、Ａ（λ２）、Ａ（λ３）を取得して、取得した測定データＡ（λ１）、Ａ（λ２）、Ａ（λ３）に基づいて、各波長（オキシヘモグロビンの吸収波長及びデオキシヘモグロビンの吸収波長）の通過光強度から、オキシヘモグロビン濃度、デオキシヘモグロビン濃度及び全ヘモグロビン濃度を求める制御を行う。
脳活動画像表示制御部４４は、モニタ画面２３ａに、情報の表示を行う制御を行う。例えば、脳平面でのオキシヘモグロビン濃度、デオキシヘモグロビン濃度及び全ヘモグロビン濃度の等高線グラフ等を表示する。
【００４２】
以上のように、本発明の光生体測定装置１に用いるホルダ１１によれば、ソケット部品とナット部品との間のネジ機構を調整する必要がなく、様々な曲率を有する面に対して密着することができる。また、近赤外光を用いて測定した測定部位における電気信号を測定することができる。
【００４３】
＜第二の実施形態＞
光生体測定装置は、被検者の頭部表面上に装着するためのホルダ６０と、送光プローブ１２と導光路により接続される発光部２と、受光プローブ１３と導光路により接続される光検出部３と、光生体測定装置全体の制御を実行する制御部（コンピュータ）２０とにより構成される。なお、光生体測定装置１と同様のものについては、同じ符号を付している。
ホルダ６０を構成する部品について説明する。図６（ａ）は、第三アーム部材３４の一例を示す斜視図であり、図６（ｂ）は、組み立てた後の複数の挿入部材３３と複数の第三アーム部材３４とを示す図である。
ホルダ６０は、送光プローブ１２や受光プローブ１３を固定する複数の挿入部材３３と、一の挿入部材３３と他の挿入部材３３とを連結するための複数の第三アーム部材３４とを備える。
【００４４】
第三アーム部材３４は、一の字形状の板状体であり、連結部３４ａを両端に第一設定距離（例えば、３．５ｍｍ）で離れるように有する。
連結部３４ａは、断面が３６０°の円環形状（例えば、直径１ｍｍ）の内の一部が欠けた２７０°の円環形状であり、かつ、高さ３ｍｍの半円筒体を有するフック体である。そして、下側に欠けた部分が配置されるように半円筒体は形成されている。半円筒体の内側には、欠けた部分から円環部３３ｂの一部分が挿入可能となっている。これにより、半円筒体の内側に円環部３３ｂを挿入すれば、第三アーム部材３４と挿入部材３３とを連結することができるようになっている。また、連結部３４ａを両端に有するので、一の連結部３４ａと一の挿入部材３３とを連結し、もう一つの連結部３４ａと他の挿入部材３３とを連結すれば、一の挿入部材３３と他の挿入部材３３とを連結することができるようになっている。このとき、一の連結部３４ａと他の連結部３４ａとが第一設定距離（例えば、３．５ｍｍ）で離れるように形成されているので、一の挿入部材３３の貫通孔３３ｄと他の挿入部材３３の貫通孔３３ｄとの間の距離は、第一設定距離と第二設定距離の２倍との合計距離（例えば、１６．５ｍｍ）となる。よって、一の挿入部材３３の貫通孔３３ｄに送光プローブ１２を挿入するとともに、他の挿入部材３３の貫通孔３３ｄに受光プローブ１３を挿入して、球面に配置すれば、第一設定距離と第二設定距離の２倍との合計距離（例えば、１６．５ｍｍ）が円弧状となるので、プローブ間隔は、例えば、１５．０ｍｍとなることになる。
【００４５】
さらに、円環部３３ｂの全ての位置の断面が、同一な円形状となっているので、円環部３３ｂの任意の位置（任意角度）と連結部３４ａとが連結されると、円環部３３ｂと連結部３４ａとが連結された状態を維持したまま、円環部３３ｂの他の位置（３６０°の内のどこかの角度）と連結部３４ａとが連結された状態となるように、第三アーム部材３４が移動可能となっている。つまり、円環部３３ｂの全部分の内から所望の位置（所望角度）と連結部３４ａとが連結された状態となるように、貫通孔３３ｄの中心軸が回転軸として、第三アーム部材３４が移動可能となっている。
【００４６】
また、円環部３３ｂの断面が、円形状となっているので、円環部３３ｂの任意の位置と連結部３４ａとが連結された状態を維持したまま、断面において、連結部３４ａが円環部３３ｂに対して回動することにより、円環部３３ｂが回転軸として、第三アーム部材３４が回動可能となっている。
【００４７】
したがって、貫通孔３３ｄの中心軸が回転軸となるとともに、円環部３３ｂが回転軸となるように、第三アーム部材３４が２軸で回動可能となっている。
このような第三アーム部材を構成する材質としては、特に限定されるものではないが、例えば、ポリプロピレン、ポリ塩化ビニル、ポリアセタール等が挙げられる。
【００４８】
このような複数の挿入部材３３と、複数の第三アーム部材３４とを用いて、図６（ｂ）に示すホルダ６０を組み立てる。このとき、１個の挿入部材３３の円環部３３ｂの任意の位置には、合計４個の第三アーム部材３４を連結する。そして、測定者は、このようなホルダ６０を被検者の頭部表面に被せると、ホルダ６０は、挿入部材３３の円環部３３ｂの所望の位置と第三アーム部材３４の連結部３４ａとが連結された状態となるように、頭部表面の当接面内で第三アーム部材３４が回動するとともに、頭部表面の法線方向で第三アーム部材３４の連結部３４ａが挿入部材３３の円環部３３ｂに対して回動するように、頭部表面の法線方向で第三アーム部材３４が回動する。つまり、ホルダ６０は、被検者の頭部表面と一致するような曲率を有する面となるように、自然に変形する。その後、測定者は、挿入部材３３の貫通孔３３ｄに、送光プローブ１２と受光プローブ１３とを所定の配列で挿入する。
【００４９】
以上のように、本発明の光生体測定装置に用いるホルダ６０によれば、ソケット部品とナット部品との間のネジ機構を調整する必要がなく、様々な曲率を有する面に対して密着することができる。
【００５０】
＜第三の実施形態＞
光生体測定装置は、被検者の頭部表面上に装着するためのホルダ７０と、送光プローブ１２と導光路により接続される発光部２と、受光プローブ１３と導光路により接続される光検出部３と、ＥＥＧ電極１４と接続される電気検出部４と、光生体測定装置全体の制御を実行する制御部（コンピュータ）２０とにより構成される。なお、光生体測定装置１と同様のものについては、同じ符号を付している。
ホルダ７０を構成する部品について説明する。図７は、挿入部材７３と第四アーム部材７１と第五アーム部材７２との一例を示す斜視図であり、図８は、組み立てた後の複数の挿入部材７３と複数の第四アーム部材７１と複数の第五アーム部材７２とを示す図である。
ホルダ７０は、送光プローブ１２や受光プローブ１３を固定する複数の挿入部材７３と、一の挿入部材７３と他の挿入部材７３とを連結するための複数の第四アーム部材７１と、一の挿入部材７３と他の挿入部材７３とを連結するための複数の第五アーム部材７２とを備える。
【００５１】
挿入部材７３は、図７（ａ）に示すように、円形状（例えば、直径８ｍｍ）の貫通孔７３ｄを中央部に有する本体部７３ａと、円環形状の円環部７３ｂとを有する。
貫通孔７３ｄの内側には、送光プローブ１２や受光プローブ１３が挿入可能となっている。これにより、貫通孔７３ｄの内側に送光プローブ１２を挿入すれば、挿入部材７３と送光プローブ１２とを固定することができるようになっている。
円環部７３ｂは、本体部７３ａの側面に、３６０°の内の一部が欠けた２７０°の半円筒状（例えば、直径２ｍｍ）の溝が円環形状に形成されたものである。そして、外側に欠けた部分が配置されるように半円筒状の溝は形成されている。また、円環部７３ｂは、貫通孔７３ｄの中心軸から第二設定距離（例えば、６．５ｍｍ）で離れるように形成されている。
なお、上記挿入部材を構成する材質としては、特に限定されるものではないが、例えば、ポリプロピレン、ポリ塩化ビニル、ポリアセタール等が挙げられる。
【００５２】
第四アーム部材７１は、図７（ｂ）に示すように、一の字形状の板状体であり、円形状（例えば、直径８ｍｍ）の貫通孔７１ｂを中央部に有し、連結部７１ａを両端に第一設定距離（例えば、１８．５ｍｍ）で離れるように有する。
貫通孔７１ｂの内側には、送光プローブ１２や受光プローブ１３が挿入可能となっている。これにより、貫通孔７１ｂの内側に送光プローブ１２を挿入すれば、第四アーム部材７１と送光プローブ１２とを固定することができるようになっている。
連結部７１ａは、球体（例えば、直径２ｍｍ）である。連結部７１ａは、円環部７３ｂの欠けた部分から円環部７３ｂの任意の位置に挿入可能となっている。これにより、連結部７１ａを円環部７３ｂに挿入すれば、第四アーム部材７１と挿入部材７３とを連結することができるようになっている。また、連結部７１ａを両端に有するので、一の連結部７１ａと一の挿入部材７３とを連結し、もう一つの連結部７１ａと他の挿入部材７３とを連結すれば、一の挿入部材７３と他の挿入部材７３とを連結することができるようになっている。このとき、一の連結部７１ａと他の連結部７１ａとが第一設定距離（例えば、１８．５ｍｍ）で離れるように形成されているので、一の挿入部材７３の貫通孔７３ｄと他の挿入部材７３の貫通孔７３ｄとの間の距離は、第一設定距離と第二設定距離の２倍との合計距離（例えば、３１．５ｍｍ）となる。よって、一の挿入部材７３の貫通孔７３ｄに送光プローブ１２を挿入するとともに、他の挿入部材７３の貫通孔７３ｄに受光プローブ１３を挿入して、球面に配置すれば、第一設定距離と第二設定距離の２倍との合計距離（例えば、３１．５ｍｍ）が円弧状となるので、プローブ間隔は、例えば、３０．０ｍｍとなることになる。
【００５３】
さらに、円環部７３ｂの内部空間の断面が、同一な円形状となっているので、円環部７３ｂの任意の位置（任意角度）と連結部７１ａとが連結されると、円環部７３ｂと連結部７１ａとが連結された状態を維持したまま、円環部７３ｂの他の位置（３６０°の内のどこかの角度）と連結部７１ａとが連結された状態となるように、第四アーム部材７１が移動可能となっている。つまり、円環部７３ｂの全部分の内から所望の位置（所望角度）と連結部７１ａとが連結された状態となるように、貫通孔７３ｄの中心軸が回転軸として、第四アーム部材７１が移動可能となっている。
【００５４】
また、連結部７１ａの断面が、円形状となっているので、円環部７３ｂの任意の位置と連結部７１ａとが連結された状態を維持したまま、断面において、連結部７１ａが円環部７３ｂに対して回動することにより、円環部７３ｂが回転軸として、第四アーム部材７１が回動可能となっている。
【００５５】
したがって、貫通孔７３ｄの中心軸が回転軸となるとともに、円環部７３ｂが回転軸となるように、第四アーム部材７１が２軸で回動可能となっている。
このような第四アーム部材を構成する材質としては、特に限定されるものではないが、例えば、ポリプロピレン、ポリ塩化ビニル、ポリアセタール等が挙げられる。
【００５６】
第五アーム部材７２は、図７（ｃ）に示すように、一の字形状の板状体であり、円形状（例えば、直径５ｍｍ）の１個の大貫通孔７２ｂと円形状（例えば、直径１．２ｍｍ）の８個の小貫通孔７２ｃとを中央部に有し、連結部７２ａを両端に第一設定距離（例えば、直径１８．５ｍｍ）で離れるように有する。
大貫通孔７２ｂの内側には、ＥＥＧ電極１４が挿入可能となっている。これにより、大貫通孔７２ｂの内側にＥＥＧ電極１４を挿入すれば、第五アーム部材７２とＥＥＧ電極１４とを固定することができるようになっている。
連結部７２ａは、球体（例えば、直径２ｍｍ）である。連結部７２ａは、円環部７３ｂの欠けた部分から円環部７３ｂの任意の位置に挿入可能となっている。これにより、連結部７２ａを円環部７３ｂに挿入すれば、第五アーム部材７２と挿入部材７３とを連結することができるようになっている。また、連結部７２ａを両端に有するので、一の連結部７２ａと一の挿入部材７３とを連結し、もう一つの連結部７２ａと他の挿入部材７３とを連結すれば、一の挿入部材７３と他の挿入部材７３とを連結することができるようになっている。このとき、一の連結部７２ａと他の連結部７２ａとが第一設定距離（例えば、１８．５ｍｍ）で離れるように形成されているので、一の挿入部材７３の貫通孔７３ｄと他の挿入部材７３の貫通孔７３ｄとの間の距離は、第一設定距離と第二設定距離の２倍との合計距離（例えば、３１．５ｍｍ）となる。よって、一の挿入部材７３の貫通孔７３ｄに送光プローブ１２を挿入するとともに、他の挿入部材７３の貫通孔３３ｄに受光プローブ１３を挿入し、第五アーム部材７２の貫通孔７２ｂにＥＥＧ電極１４を挿入すれば、ＥＥＧ電極１４の測定部位は、プローブ間隔の中点となることになる。
【００５７】
さらに、円環部７３ｂの内部空間の断面が、同一な円形状となっているので、円環部７３ｂの任意の位置（任意角度）と連結部７２ａとが連結されると、円環部７３ｂと連結部７２ａとが連結された状態を維持したまま、円環部７３ｂの他の位置（３６０°の内のどこかの角度）と連結部７２ａとが連結された状態となるように、第五アーム部材７２が移動可能となっている。つまり、円環部７３ｂの全部分の内から所望の位置（所望角度）と連結部７２ａとが連結された状態となるように、貫通孔７３ｄの中心軸が回転軸として、第五アーム部材７２が移動可能となっている。
また、連結部７２ａの断面が、円形状となっているので、円環部７３ｂの任意の位置と連結部７２ａとが連結された状態を維持したまま、断面において、連結部７２ａが円環部７３ｂに対して回動することにより、円環部７３ｂが回転軸として、第五アーム部材７２が回動可能となっている。
【００５８】
したがって、貫通孔７３ｄの中心軸が回転軸となるとともに、円環部７３ｂが回転軸となるように、第四アーム部材７２が２軸で回動可能となっている。
このような第五アーム部材を構成する材質としては、特に限定されるものではないが、例えば、ポリプロピレン、ポリ塩化ビニル、ポリアセタール等が挙げられる。
【００５９】
このような複数の挿入部材７３と、複数の第四アーム部材７１と、複数の第五アーム部材７２とを用いて、図８に示すホルダ７０を組み立てる。このとき、１個の挿入部材７３の円環部７３ｂの任意の位置には、第四アーム部材７１と第五アーム部材７２とが交互となるように、合計４個のアーム部材７１、７２を連結する。そして、測定者は、このようなホルダ７０を被検者の頭部表面に被せると、ホルダ７０は、挿入部材７３の円環部７３ｂの所望の位置と第四アーム部材７１の連結部７１ａとが連結された状態となり、また、挿入部材７３の円環部７３ｂの所望の位置と第五アーム部材７２の連結部７２ａとが連結された状態となるように、頭部表面の当接面内で第四アーム部材７１や第五アーム部材７２が移動するとともに、頭部表面の法線方向で第四アーム部材７１の連結部７１ａが挿入部材７３の円環部７３ｂに対して回動するように、頭部表面の法線方向で第四アーム部材７１が回動し、また、頭部表面の法線方向で第五アーム部材７２の連結部７２ａが挿入部材７３の円環部７３ｂに対して回動するように、頭部表面の法線方向で第五アーム部材７２が回動する。つまり、ホルダ７０は、被検者の頭部表面と一致するような曲率を有する面となるように、自然に変形する。その後、測定者は、挿入部材７３の貫通孔７３ｄに、送光プローブ１２と受光プローブ１３とを所定の配列で挿入するとともに、第五アーム部材７２の大貫通孔７２ｂに、ＥＥＧ電極１４を挿入する。
【００６０】
以上のように、本発明の光生体測定装置に用いるホルダ７０によれば、ソケット部品とナット部品との間のネジ機構を調整する必要がなく、様々な曲率を有する面に対して密着することができる。また、近赤外光を用いて測定した測定部位における電気信号を測定することができる。
【００６１】
（他の実施形態）
（１）上述した光生体測定装置１では、円環部３３ｂは、円柱体が円環形状となったリング体であるとともに、連結部３１ａ、３２ａは、半円筒体を有するフック体であるような構成としたが、円環部は、多角形柱体が円環形状となったリング体であるとともに、連結部３２ａは、半多角形筒体を有するフック体であるような構成としてもよい。
（２）上述した光生体測定装置では、円環部７３ｂは、半円筒状の溝が円環形状に形成されたものであるとともに、連結部７１ａ、７２ａは、球体であるような構成としたが、円環部は、半多角形筒状の溝が円環形状に形成されたものであるとともに、連結部は、多角形柱体であるような構成としてもよい。
【産業上の利用可能性】
【００６２】
本発明は、光を用いて非侵襲で脳活動を測定するためのホルダ及びそれを用いた光生体測定装置に利用することができる。
【符号の説明】
【００６３】
１：光生体測定装置
１１、６０、７０、１１１：ホルダ
１２：送光プローブ
１３：受光プローブ
２０：コンピュータ（制御部）
３１：第一アーム部材
３１ａ：連結部
３２：第二アーム部材
３２ａ：連結部
３３：挿入部材
３３ｂ：円環部
３３ｄ：貫通孔
４１：演算部
Ｔ：送光点
Ｒ：受光点
Ｍ：中点
Ｓ：測定部位
【図１】
2011083563.tif 000003
【図２】
2011083563.tif 000004
【図３】
2011083563.tif 000005
【図４】
2011083563.tif 000006
【図５】
2011083563.tif 000007
【図６】
2011083563.tif 000008
【図７】
2011083563.tif 000009
【図８】
2011083563.tif 000010
【図９】
2011083563.tif 000011
【図１０】
2011083563.tif 000012
【図１１】
2011083563.tif 000013
【図１２】
2011083563.tif 000014
【国際調査報告】
2011083563.tif 000015
2011083563.tif 000016